(57)【特許請求の範囲】
【請求項１】
人の背中の皮膚面に貼る薬剤シートと、
前記薬剤シートに取り付けられ、前記人が引っ張ることによって前記人に貼られた前記薬剤シートを取り外すための少なくとも一本の紐体と、
を備え、
前記紐体は前記薬剤シートの一端側に取り付けられており、
前記紐体が背中に貼られた前記薬剤シートの下端部に取り付けられている場合には、前記紐体を上方へ引っ張り上げることによって前記薬剤シートが下方部からめくれ上がるように剥がされ、
前記紐体が背中に貼られた前記薬剤シートの上端部に取り付けられている場合には、前記紐体を引っ張り下げることによって前記薬剤シートが上方部からめくれ下がるように剥がされる
ことを特徴とする紐付き薬剤シート。
【請求項２】
前記紐体は、前記薬剤シートに後発的に取り付け可能である
ことを特徴とする請求項１に記載の紐付き薬剤シート。
【発明の詳細な説明】
【０００１】
【発明の属する技術分野】
本発明は、湿布薬や膏薬等が塗布された皮膚の貼付される貼布剤等の薬剤シートに関する。
【０００２】
【従来の技術】
湿布薬や膏薬等が塗布された薬剤シートによって人体の皮膚の患部を治療することが行われている。
【０００３】
薬剤シートを貼る場合に、病院等で看護婦等の他の人手によって貼ってもらえ、また一般家庭でも、家族の者に貼ってもらったり畳上に寝転がって自分自身で貼ったりできる。しかしながら、薬剤効果が薄れたときに薬剤シートを剥がす行為は、薬剤シートを貼付された者によって行われる場合が多い。
【０００４】
【発明が解決しようとする課題】
患部が人体の背中等のように手の届きにくい場所にある場合には、長手のへら等を用いて使用済みの薬剤シートを剥がすことが行われていた。この場合、へらによって皮膚を損傷させる危険があったり、意図する短時間では剥がすことができないという問題があった。特に、老人等のように自分の身体を自由に動かしにくい人には問題があった。
【０００５】
また、へら等を使用しない場合には、家族の者等に手助けを頼む必要があった。この場合、核家族化社会にあって一人住まいの人にとっては、他人の手を借りることは容易にできることではないという問題があった。
【０００６】
そこで、本発明の目的は、上記従来の有する問題を解消し、薬剤シートを貼付された者が人手を借りずに簡易に確実に薬剤シートを剥がすことを可能にする紐付き薬剤シート及び薬剤シート用紐を提供することである。
【０００７】
【課題を解決するための手段】
上記目的を達成するために、本発明の紐付き薬剤シートは、人の背中の皮膚面に貼る薬剤シートと、前記薬剤シートに取り付けられ、前記人が引っ張ることによって前記人に貼られた前記薬剤シートを取り外すための少なくとも一本の紐体と、を備え、前記紐体は前記薬剤シートの一端側に取り付けられており、前記紐体が背中に貼られた前記薬剤シートの下端部に取り付けられている場合には、前記紐体を上方へ引っ張り上げることによって前記薬剤シートが下方部からめくれ上がるように剥がされ、前記紐体が背中に貼られた前記薬剤シートの上端部に取り付けられている場合には、前記紐体を引っ張り下げることによって前記薬剤シートが上方部からめくれ下がるように剥がされることを特徴とする。
【０００９】
また、前記紐体は、前記薬剤シートに後発的に取り付け可能であることを特徴とする。
【００１０】
また、本発明の紐体は、人の皮膚面に貼る薬剤シートに取り付け可能であり、前記人が引っ張ることによって前記人に貼られた前記薬剤シートを取り外すものである。
【００１１】
上述の発明において、薬剤シートに取り付けられた紐体を引っ張ることによって、薬剤シートに直接的に手が届かない場所に貼った場合でも、確実に確実に自力で取り剥がすことができる。
【００１２】
【発明の実施の形態】
以下、図面を参照して本発明の紐付き薬剤シートの実施の形態を説明する。図１または図２に示すように、紐付き薬剤シート１は、人の患部である背中１１に貼る薬剤シート２と、薬剤シート２の端部に取り付けられた２本の紐体３，３とを備えている。薬剤シート２としては、例えば、接着性のあるシートに湿布薬や膏薬等の薬剤が塗られた貼布剤シートがある。紐体３は、適度な引っ張り強度があって体積の小さいものであれば、テープ状の薄平体であってもよく、細い糸状のものであってもよい。
【００１３】
図１は、紐体３，３は背中１１に貼られた薬剤シート１の下端部に取り付けられた例を示し、人が肩越しに左右の手１２，１３で紐体３，３を上方へ引っ張り上げることによって人に貼られた薬剤シート１は下方部からめくれ上がるように剥がされる。
【００１４】
図２は、紐体３，３は背中１１に貼られた薬剤シート１の上端部に取り付けられた例を示し、人が腰の回した左右の手１２，１３で紐体３，３を下方へ引っ張り下げることによって人に貼られた薬剤シート１は上方部からめくれ下がるように剥がされる。
【００１５】
なお、紐付き薬剤シート１が背中１１に貼られた状態で紐体３，３は下着で覆われるので、通常は特には邪魔になることはないが、邪魔になる場合には、紐体３，３の下端部に接着用テープを設けておき人体や下着等に取り付けるようにしてもよい。
【００１６】
図３は、紐付き薬剤シート１を示す平面図（ａ）と側面図（ｂ）である。２本の紐体３，３は上端部３ａ，３ａで接着剤等によって薬剤シート２に取り付けられている。
【００１７】
また、紐体３，３は、薬剤シート２に後発的に取り付け可能である。図４は、人の皮膚面に貼る薬剤シート２とは別売される紐体３，３を示す。紐体３，３は連結部５で連結されている。紐体３，３は、例えば、連結部５に貼り付けられる両面テープ７によって薬剤シート２に取り付けられる。この場合、両面テープ７の片側面は薬剤シート２に取り付けられる前はシールが貼られており、このシールを剥がして薬剤シート２の端部に取り付けられる。また、紐体３，３は、ホッチキス等を用いて連結部５を薬剤シート２に取り付けるようにしてもよい。また、紐体３，３は、簡易な接着剤等を介して薬剤シート２に取り付けるようにしてもよい。
【００１８】
なお、上記の例では、薬剤シート２に取り付けられる紐体３を２本設けた例を示したが、薬剤シート２の大きさや貼り付けられる患部の位置等に応じて選択すればよく、紐体３は、１本でも３本以上であってもよい。また、紐体３の長さは長めにしてあり、貼り付けられる患部の位置等に応じてハサミで適当な長さに切って使うことができる。
【００１９】
以上のように、紐付き薬剤シート１は薬剤シート２に取り付けられた紐体３，３を有するので、薬剤シート２が背中１１等の手の届きにくい場所に貼られた場合であっても、人は紐体３，３を引っ張ることによって簡易に確実に自力で薬剤シート２を取り剥がすことができる。この結果、へら等を用いて使用済みの薬剤シート２を剥がすことによって皮膚を損傷させることがなくなり、老人等のように自分の身体を自由に動かしにくい人や一人住まいの人であっても他人の手を借りることなく容易に薬剤シート２を剥がすことができる。
【００２０】
なお、背中に薬剤シート２を貼る場合を示したが、これに限らず、手の届きにくいところであれば他の患部でもよく、例えば身体の不自由の人が足のすねに手が届かない場合にその手の届かないすねが患部である場合であってもよい。
【００２１】
【発明の効果】
以上説明したように、本発明の構成によれば、薬剤シートを貼付された者が人手を借りずに簡易に確実に薬剤シートを剥がすことを可能にする紐付き薬剤シート及び薬剤シート用紐を提供することができる。
【図面の簡単な説明】
【図１】本発明にかかる紐付き薬剤シートの使用例を示す斜視図。
【図２】本発明にかかる紐付き薬剤シートの他の使用例を示す斜視図。
【図３】紐付き薬剤シート１を示す平面図（ａ）と側面図（ｂ）。
【図４】薬剤シートと別売される紐体を示す平面図（ａ）と側面図（ｂ）。
【符号の説明】
１  紐付き薬剤シート
２  薬剤シート
３  紐体
５  連結部
７  両面テープ
【図１】
0003773871.tif 000002
【図２】
0003773871.tif 000003
【図３】
0003773871.tif 000004
【図４】
0003773871.tif 000005